(57)【要約】【課題】ディスクを載置する複数のサブトレイを備えたディスクチェンジャーであって、１個のモータを使用して動力の切り換えを行い、しかもプランジャを使用しないことで静かな切り換え操作が行ない得て、製作コストが安いディスクチェンジャーにおける再生時の動力駆動装置の提供。【解決手段】単一のモータ６でもってトラバースユニット３９の移動手段とサブトレイ３ａ，３ｂ，３ｃの搬送手段、及びディスク再生手段とをギアの切り換え機構を介して選択的に駆動するように構成している。【選択図】        図２
2004355746.tif 000002
【特許請求の範囲】
【請求項１】
ディスクを載置するサブトレイと、複数のサブトレイを並べた状態で保持するメイントレイと、該メイントレイをディスク交換位置とディスク待機位置との間で水平移動させるメイントレイ搬送手段と、再生されるディスクを載置したサブトレイを選択してトラバースユニットを該サブトレイの位置まで垂直に移動させるトラバースユニット移動手段と、サブトレイをディスク待機位置とディスク再生位置との間で水平移動させるサブトレイ搬送手段と、ディスク再生位置にあるサブトレイのディスクをクランプして再生するディスク再生手段とを備えたディスクチェンジャーにおいて、単一のモータでもって上記トラバースユニットの移動手段とサブトレイ搬送手段、及びディスク再生手段とをギアの切り換え機構を介して選択的に駆動することを特徴とするディスクチェンジャーにおけるディスク再生時の駆動装置。
【請求項２】
上記トラバースユニットの垂直移動手段として、ギアカムに形成したカム溝と係合することでレバースライダーが該ギアカムの回転に伴って揺動出来るように設け、該レバースライダーの両端にはガイドに沿ってスライドするスライダーを連結し、該スライダーと上記トラバースユニットを互いに係合することでスライダーのスライドによりトラバースユニットを垂直に移動可能とした請求項１記載のディスクチェンジャーにおけるディスク再生時の駆動装置。
【請求項３】
上記サブトレイ搬送手段として、トラバースユニットに追従して垂直方向に移動するサブトレイラックを備え、該サブトレイラックには先端にツメを形成した牽引部を起立し、サブトレイラックが昇降動することにより牽引部のツメがサブトレイに設けている係止片に係止して、ギアの回転に伴うサブトレイラックの移動によりサブトレイを搬送するようにした請求項１、又は請求項２記載のディスクチェンジャーにおけるディスク再生時の駆動装置。
【請求項４】
ギアカムの回転に伴って揺動するレバークラッチを備えると共に、該レバークラッチ先端にはクラッチギアを軸支し、該クラッチギアの切り換えによりトラバースユニットの垂直移動を行なうギアカム又はサブトレイを搬送する為にサブトレイラックに噛み合うギアを回転する動力の切り換えを可能とした請求項１記載のディスクチェンジャーにおけるディスク再生時の駆動装置。
【発明の詳細な説明】
【０００１】
【発明の属する技術分野】
本発明はＣＤやＤＶＤ等の光ディスク記録媒体を複数枚収納し、選択された１枚の記録媒体を自動的に記録又は再生を行なうディスクチェンジャー装置であり、該記録媒体を載置して搬送する複数枚のトレイを備えたトレイ方式のディスクチェンジャーの再生時における駆動装置に関するものである。
【０００２】
【従来の技術】
ディスクチェンジャー装置とは、ＣＤ等の光ディスク記録媒体を複数枚収納することが出来、収納されている複数枚の光ディスク記録媒体の１枚を選択して記録及び再生を行なうことが出来、この種のディスクチェンジャー装置は広く使用され、その形態も色々ある。ところが、ディスクチェンジャー装置は複数のディスクを収容し、これを選択して記録・再生が行われる為に、又選択されたディスクを交換しなくてはならない為に、数多くの動作が必要となり、必然的にモータの個数が多くなる。一方、該モータの個数を限定した構造とするならば、各動作を選択して行なう為に動力の切り換え機構が必要に成る。
【０００３】
例えば、特開２００２−２４３０１５号に係る「回転伝達切換機構」は、キャリッジ（サブトレイ）のイジェクト動作（ディスク交換位置へ搬送する動作）とプレイ動作（ディスク再生位置へ搬送する動作）を単一モータで行い、駆動経路の切換にプランジャを用いて構成したものであり、「回転ギアを回転軸方向へ移動させるレバーを備えたプランジャと、選択された場合にイジェクト動作あるいはプレイ動作が可能となるように重ねて設置されたキャリッジと、イジェクト動作及びプレイ動作の駆動手段と、イジェクト動作とプレイ動作の何れか選択された側に動作伝達を切り換える動作切換手段と、イジェクト動作又はプレイ動作を行なう動作伝達手段を備え、第１のギア及び第２のギアの何れか一方を動作切換系統に接続し、もう一方を動作伝達系統に接続する。そして、回転ギアの回転位置を切換第１のギア或いは第２のギアの何れかに噛み合うように係脱させる。」
【０００４】
しかし、上記プランジャを使用することで切り換える度に騒音が発生し、プランジャの部品コストが高くなり、消費電力は増加し、発熱及び火災の要因となる。又電気配線及び回路基板が増加し、装置は必然的に大型化し、該プランジャから発生する磁界の他の部品への影響が懸念される。
【０００５】
特開平１０−１３４４７４号に係る「ディスクチェンジャー付きディスク再生装置」は、ディスク交換の為のディスクトレイ移送動作とディスクローディングの為のディスクトレイ移送動作を１つのモータを駆動源として行い、動力伝達切替機構を簡素化したもので、「ディスクトレイをディスク収納位置と装置外の位置との間で水平に移動する第１移送手段と、ディスクトレイをディスク収納位置と再生位置との間で移送する第２移送手段とは第１駆動手段で選択的に駆動され、第１駆動手段の動力伝達先は第１駆動手段の初期状態での回転方向により決定される。」
ところが、トレイの搬送動作以外に、トラバースユニットの昇降動作、ピックアップの駆動動作に夫々モータが必要になり、合計３個のモータで構成している。その為に、ディスクチェンジャーの製作コストはその分だけ高く成ってしまい、サイズも大型化する。
【０００６】
【発明が解決しようとする課題】
このように、従来のディスクチェンジャーの駆動装置には上記のごとき問題がある。本発明が解決しようとする課題はこれら問題点であり、１個のモータを使用して動力の切り換えを行い、しかもプランジャを使用しないことで静かな切り換え操作が行ない得て、製作コストが安いディスクチェンジャーにおける再生時の動力駆動装置を提供する。
【０００７】
【課題を解決する為の手段】
本発明のディスクチェンジャー装置は２個のモータを備え、メイントレイの搬送、サブトレイの搬送、トラバースユニットの垂直移動（上下動）、ピックアップの駆動動作などを動力を切り換えて２個のモータにて行なうように構成している。そして、ディスク待機位置にあるサブトレイを再生するディスクの位置（ディスク再生位置）までトラバースユニットを垂直に移動させる動作と、サブトレイをディスク再生位置へ搬送する動作と、そしてディスクをクランプしてピックアップの駆動動作を単一のモータ（第２モータ）にて行なうように、ギアの切り換え機構を備えている。
【０００８】
一方、ディスク交換位置とディスク待機位置との間で、複数枚のサブトレイを収容しているメイントレイを搬送する動作に別のモータ（第１モータ）を用いるが、第１モータの動力を利用してトラバースユニットの移動手段とサブトレイの搬送手段の駆動を切り換える切り換え手段（レバークラッチ）を動かし、駆動経路の切り換えを行なうように構成している。以下、本発明に係る実施例を図面に基づいて詳細に説明する。
【０００９】
【実施例】
図１はディスクチェンジャーの一部外観図を示し、メイントレイが引き出されている場合を示している。同図の１は本体フレーム、２はメイントレイ、３はサブトレイを各々示し、３枚のサブトレイ３ａ，３ｂ，３ｃはメイントレイ２に積み重ねられて収容されている。そして、サブトレイ３ａ，３ｂ，３ｃには大小２種類のディスクが載置出来るように、同心を成した外周縁４ａ，４ｂが段差をもつて形成されている。
【００１０】
そして、各サブトレイ３ａ，３ｂ，３ｃにディスクを載置する場合、又ディスクを取外す場合には、上側に位置するサブトレイはロックされて本体フレーム１に止まり、下側に位置するサブトレイと共にメイントレイ２がディスク交換位置へ搬送される。このように、サブトレイ３ａ，３ｂ，３ｃはメイントレイ２に収容されて、該メイントレイ２と共に本体フレーム１からの出し入れが行なわれる。
【００１１】
同図はメイントレイ２が突出してディスク交換位置（ディスク取出し位置）とディスク待機位置の間に位置し、該メイントレイ２には３枚のサブトレイ３ａ，３ｂ，３ｃが収容され、上段に位置するサブトレイ３ａにディスクを載置することが出来る。そして、ディスク交換位置からメイントレイ２が後退して本体フレーム１に収容され、ディスク待機位置へ搬送される。
【００１２】
中段サブトレイ３ｂに載置されているディスクを交換する際には、上段サブトレイ３ａは本体フレーム１にロックされ、又下段サブトレイ３ｃに載置されているディスク交換を行なう場合には、上段サブトレイ３ａと中段サブトレイ３ｂがロックされてメイントレイ２によってディスク交換位置へ搬送されない。
【００１３】
図２はディスクチェンジャーの内部構造図を示している。同図はメイントレイ２が本体フレーム１から引き出された状態であり、ディスクの位置に応じて３つの領域に区分することが出来る。すなわち、同図の手前側からディスク取出し位置、ディスク待機位置、及びディスク再生位置に区分され、サブトレイ３ａ，３ｂ，３ｃに各ディスクをセットした状態でメイントレイ２が後退して本体フレーム１に収容されるならば、ディスク待機位置となる。
【００１４】
ディスク待機位置にある各ディスクは、サブトレイと共に後方のディスク再生位置へ搬送されて、トラバースユニット３９のターンテーブル４０に装着される。そして、ディスクの記録・再生が行なわれる。その為に、ターンテーブル４０を備えているトラバースユニット３９を搬送されるサブトレイの位置に合うように垂直方向に移動し、選択して後退した所定のサブトレイのディスクを装着することが出来る。
【００１５】
ところで、本発明のディスクチェンジャー装置は、備えた２個のモータでこれらの駆動を行なうことが出来る。すなわち、第１モータ５と第２モータ６を有している。図３は第１モータ５の駆動経路を示し、メイントレイ２はオープン状態にある。第１モータ５はベルト７を介してプーリー８を回転し、該プーリー８と同心を成して取着しているギア９が回転し、該ギア９はギア１０に噛み合い、ギア１０と同心を成しているギア１１が回転する。
【００１６】
そして、ギア１１はギアカム１２と噛み合い、ギアカム１２はギア１３と噛み合っている。さらに、ギア１３はメイントレイ２の側縁に設けているラック１４と噛み合っている。従って、第１モータ５が回転駆動するならば、メイントレイ２はスライドして本体ケース１内へ搬送される。図４はメイントレイ２が後退して本体ケース１内に収納された状態を示している。
【００１７】
図５は第２モータ６の駆動経路を示している。第２モータ６はギア１５を回転し、ギア１５にはギア１６が噛み合い、ギア１６はギア１７と噛み合い、ギア１７はギア１８と噛み合い、ギア１８はギアメイン１９と噛み合っている。そして、ギアメイン１９はギア２０と噛み合い、ギア２０はギアクラッチ２１と噛み合っている。さらに、ギアクラッチ２１はギアカム２２に噛み合っている。
【００１８】
ここで、ギアクラッチ２１はレバークラッチ２３の先端に軸支されていて、該レバークラッチ２３が前記第１モータ５にて回転駆動されるギアカム１２によって揺動することで上下動し、同図に示すギアクラッチ２１はダウン位置にあって、ギアカム２２と噛み合っている。そこで、該ギアカム２２が回転することで、レバースライダー２４が軸２５を中心として左右に揺動することが出来る。
【００１９】
レバースライダー２４に設けているピン２６はギアカム２２のカム溝２７に嵌っていて、ギアカム２２が回転することでカム溝２７に沿ってピン２６が移動し、その結果、レバースライダー２４は左右に揺動することが出来る。レバースライダー２４の左右端にはスライダー２８ａ，２８ｂが連結している為に、レバースライダー２４の左右揺動によってスライダー２８ａ，２８ｂはスライドすることが出来、その結果トラバースユニット３９は上下動する。
【００２０】
図６はレバークラッチ２３の先端に軸支されているギアクラッチ２１がトップに位置している場合の駆動経路を示している。ギアクラッチ２１はギア２９と噛み合い、ギア２９はギア３０と噛み合っている。さらにギア３０はギア３１と噛み合い、ギア３１はサブトレイラック３２に噛み合っている。従って、ギア３１が第２モータ６にて回転するならば、待機位置にあるサブトレイ３は奥へ後退・搬送されて再生位置へ移動する。
【００２１】
図７はレバークラッチの切り換え動作を示している。（ａ）はギアクラッチ２１がギアカム２２と噛み合っている場合で、トラバースユニット３９を上下動させることが出来る。又（ｂ）はギアクラッチ２１がギア２９と噛み合っている場合であり、サブトレイの再生位置への搬送が行なわれる。
【００２２】
図８はレバースライダー２４の揺動状態を示しているが、該レバースライダー２４が左右に揺動することで、左右端に連結しているスライダー２８ａ，２８ｂは本体フレーム１に形成しているガイドに沿ってスライド移動する。そして該スライダー２８ａ，２８ｂにはカム溝３３，３３・・が階段状に形成され、トラバースユニット３９の両側に突出したピン（図示なし）は該カム溝３３，３３・・に遊嵌している。従って、スライダー２８ａ，２８ｂがスライドするならば、トラバースユニット３９は上下動することが出来る（図５参照）。
【００２３】
そして、該トラバースユニット３９の上下動に合わせて、サブトレイ３を再生位置へ搬送するサブトレイラック３２が上下動することが出来る。図９はサブトレイラック３２によるサブトレイ３の搬送機構を示している具体例であり、該サブトレイラック３２は前記図６に示しているギア３１と噛み合っている。そして、サブトレイラック３２の先端には牽引部３４を垂直に起立すると共に、牽引部先端にはツメ３５を形成している。
【００２４】
一方のサブトレイ３のコーナーには嵌入穴３６が貫通して設けられ、しかも該嵌入穴３６の開口３７には係止片３８を設けている。そこで、上記サブトレイラック３２が上昇して牽引部３４が嵌入穴３６に嵌り、そして先端に形成しているツメ３５が係止片３８に係止する。この状態でギア３１が回転してサブトレイラック３２がスライドするならば、牽引部３４に引かれてサブトレイ３は再生位置へ搬送される。そこで、最も上側に位置するサブトレイ３ａを搬送する場合、サブトレイラック３２はトラバースユニット３９と共に上昇し、牽引部３４は下側に位置するサブトレイ３ｂ，３ｃの嵌入穴３６，３６を挿通してサブトレイ３ａに達する。
【００２５】
この状態でギア３１が回転してサブトレイラック３２がスライドするならば、ツメ３５に係止した上段のサブトレイ３ａだけが搬送される。下側に位置するサブトレイ３ｂ，３ｃは嵌入穴３６，３６に形成している開口３７，３７を牽引部３４が通過して、搬送されることなく静止している。ところで、第２モータ６の主軸に設けているギアは、図２に示しているようにラック４１に噛み合ってディスクの再生（ピックアップの駆動）を行なうことが出来る。
【００２６】
以上述べたように、本発明の再生時の駆動装置は単一のモータでもって、トラバースユニットの昇降動、サブトレイの搬送、及びディスクの再生動作等をギアの切り換え機構にて行なうようにしたものであり、次のような効果を得ることが出来る。
【００２７】
【発明の効果】
本発明のディスクチェンジャーは２個のモータを使用して、トラバースユニットの昇降動、メイントレイ及びサブトレイの搬送、ピックアップの駆動動作などを行なうことが出来る。そして、これら各動作はモータからの動力を伝達するギアを切り換えることで行なわれ、プランジャを用いていない。従って、部品点数の削減による安価な装置の供給が可能となる。又、動力の切り換えに伴う騒音を防止し、消費電力を削減し、発熱や火災を防止することが出来る。さらには、電気配線や回路基板を削減でき、製品は小型化及び薄型化され、磁界の影響によるトラブルが防止される。
【図面の簡単な説明】
【図１】ディスクチェンジャーの外観図の一部。
【図２】ディスクチェンジャーの内部構造図。
【図３】第１モータの駆動経路。
【図４】第１モータによるメイントレイの搬送機構。
【図５】第２モータの駆動経路。
【図６】第２モータによるサブトレイの搬送機構。
【図７】レバークラッチの切り換え動作。
【図８】トラバースユニットを昇降動させるレバースライダー機構。
【図９】サブトレイの搬送機構。
【符号の説明】
１  本体フレーム
２  メイントレイ
３  サブトレイ
４  外周縁
５  第１モータ
６  第２モータ
１２  ギアカム
１４  ラック
２１  ギアクラッチ
２２  ギアカム
２３  レバークラッチ
２４  レバースライダー
２８  スライダー
３２  サブトレイラック
【図１】
2004355746.tif 000003
【図２】
2004355746.tif 000004
【図３】
2004355746.tif 000005
【図４】
2004355746.tif 000006
【図５】
2004355746.tif 000007
【図６】
2004355746.tif 000008
【図７】
2004355746.tif 000009
【図８】
2004355746.tif 000010
【図９】
2004355746.tif 000011